(57)【要約】【課題】紛失したリモートコントローラを探知するにあたって，リモートコントローラが遠隔操作する電気製品側に発信または送信手段を設ける必要がなく，また紛失したリモートコントローラを容易に探知することができ，さらには懐中電灯として使用できるリモートコントローラおよびリモートコントローラ所在報知器を提供する。【解決手段】周囲の明るさを検出する光検出手段と，周囲の音を検出する音検出手段と，所在音を発する発音手段と，６面体状の筐体の６面それぞれに発光素子を配設した発光手段とを具え，光検出手段が所定照度超を検出すると共に音検出手段が探知音を検出すると発音手段が所在音を発し，光検出手段が所定照度以下であることを検出すると共に音検出手段が探知音を検出すると発音手段が所在音を発すると共に発光手段の全ての発光素子が発光することを特徴とするリモートコントローラおよびリモートコントローラ所在報知器である。【選択図】図１
2011199690.tif 000002
【特許請求の範囲】
【請求項１】
電気製品を遠隔操作する遠隔操作信号発信手段と，周囲の明るさを検出する光検出手段と，周囲の音を検出する音検出手段と，多面体状の筐体の各面に発光素子を配設した発光手段とを具え，光検出手段が所定照度以下であることを検出すると発光手段の全ての発光素子が発光することを特徴とするリモートコントローラ。
【請求項２】
前記遠隔操作信号発信手段と，前記光検出手段と，前記音検出手段と，前記発音手段と，前記発光手段とを具え，光検出手段が所定照度超であることを検出すると共に音検出手段が探知音を検出すると発音手段が所在音を発し，光検出手段が所定照度以下であることを検出すると発光手段の全ての発光素子が発光し, 光検出手段が所定照度以下であること検出すると共に音検出手段が探知音を検出すると全ての発光素子の発光に加えて発音手段が所在音を発することを特徴とするリモートコントローラ。
【請求項３】
前記遠隔操作信号発信手段と，前記光検出手段と，前記音検出手段と，前記発音手段と，前記発光手段とを具えると共に，点灯操作手段を設け，該点灯操作手段の操作により発光手段の１の発光素子が発光することを特徴とする請求項１または請求項２記載のリモートコントローラ。
【請求項４】
前記遠隔操作信号発信手段と，前記光検出手段と，前記音検出手段と，前記発音手段と，前記発光手段とを具えると共に，動作モードを切り替えるモード切替手段を設け，モード切替手段を第１のモードに設定した際は，光検出手段が所定照度超を検出すると共に音検出手段が探知音を検出すると発音手段が所在音を発し，光検出手段が所定照度以下であることを検出すると共に音検出手段が探知音を検出すると発音手段が所在音を発すると共に発光手段の全ての発光素子が発光し，モード切替手段を第２のモードに設定した際は，光検出手段が所定照度超であることを検出すると共に音検出手段が探知音を検出すると発音手段が所在音を発し，光検出手段が所定照度以下であることを検出すると発光手段の全ての発光素子が発光し,光検出手段が所定照度以下であること検出すると共に音検出手段が探知音を検出すると全ての発光素子の発光に加えて発音手段が所在音を発することを特徴とするリモートコントローラ。
【請求項５】
前記遠隔操作信号発信手段と，前記光検出手段と，前記音検出手段と，前記発音手段と，前記発光手段と，前記動作モードを切り替えるモード切替手段とを具えると共に，点灯操作手段を設け，該点灯操作手段の操作により発光手段の１の発光素子が発光することを特徴とする請求項４記載のリモートコントローラ。
【請求項６】
前記光検出手段と，前記音検出手段と，前記発音手段と，前記発光手段とを具え，筐体にリモートコントローラ着脱手段を設け，光検出手段が所定照度超を検出すると共に音検出手段が探知音を検出すると発音手段が所在音を発し，光検出手段が所定照度以下であることを検出すると共に音検出手段が探知音を検出すると発音手段が所在音を発すると共に発光手段の全ての発光素子が発光することを特徴とするリモートコントローラ所在報知機。
【請求項７】
前記光検出手段と，前記音検出手段と，前記発音手段と，前記発光手段とを具え，筐体にリモートコントローラ着脱手段を設け，光検出手段が所定照度超であることを検出すると共に音検出手段が探知音を検出すると発音手段が所在音を発し，光検出手段が所定照度以下であることを検出すると発光手段の全ての発光素子が発光し,光検出手段が所定照度以下であること検出すると共に音検出手段が探知音を検出すると，全ての発光素子の発光に加えて発音手段が所在音を発すること特徴とするリモートコントローラ所在報知機。
【請求項８】
前記光検出手段と，前記音検出手段と，前記発音手段と，前記発光手段，前記リモートコントローラ着脱手段とを具えると共に，点灯操作手段を設け，該点灯操作手段の操作により発光手段の１の発光素子が発光することを特徴とする請求項６または請求項７記載のリモートコントローラ所在報知機。
【請求項９】
前記光検出手段と，前記音検出手段と，前記発音手段と，前記発光手段と，前記リモートコントローラ着脱手段とを具えると共に，動作モードを切り替えるモード切替手段を設け，モード切替手段を第１のモードに設定した際は，光検出手段が所定照度超を検出すると共に音検出手段が探知音を検出すると発音手段が所在音を発し，光検出手段が所定照度以下であることを検出すると共に音検出手段が探知音を検出すると発音手段が所在音を発すると共に発光手段の全ての発光素子が発光し，モード切替手段を第２のモードに設定した際は，光検出手段が所定照度超であることを検出すると共に音検出手段が探知音を検出すると発音手段が所在音を発し，光検出手段が所定照度以下であることを検出すると発光手段の全ての発光素子が発光し,光検出手段が所定照度以下であること検出すると共に音検出手段が探知音を検出すると，全ての発光素子の発光に加えて発音手段が所在音を発することを特徴とするリモートコントローラ所在報知機。
【請求項１０】
前記光検出手段と，前記音検出手段と，前記発音手段と，前記発光手段と，前記リモートコントローラ着脱手段と，前記動作モードを切り替えるモード切替手段とを具えると共に，点灯操作手段を設け，該点灯操作手段の操作により発光手段の１の発光素子が発光することを特徴とする請求項９記載のリモートコントローラ所在報知機。
【発明の詳細な説明】
【技術分野】
【０００１】
本発明は，離れた位置から電気製品を遠隔操作するリモートコントローラおよびこれに着脱可能なリモートコントローラ所在報知機に関し，特にリモートコントローラの所在が不明となった際に，容易に該リモートコントローラを探知することができ，また懐中電灯としての点灯機能を備えたリモートコントローラおよびリモートコントローラ所在報知機に関する。
【背景技術】
【０００２】
従来，家庭内において管理不十分なために，電気製品を遠隔操作するリモートコントローラの所在が不明となることがしばしばあり，かかる場合は電気製品の遠隔操作が出来ないため極めて不便であった。
【０００３】
この不便さを解消するため，置き忘れや紛失の対象となったリモートコントローラを容易に探し出すことができるようにする，リモートコントローラ及びそれを用いたオーディオ・ビジュアル機器が提案されている（特許文献１）。また同様にリモートコントローラの所在が不明となったときに，容易に探せるようにする，リモートコントローラおよびその探知装置が提案されている（特許文献２）。
【０００４】
特許文献１に係るリモートコントローラ及びそれを用いたオーディオ・ビジュアル機器は，オーディオ・ビジュアル機器の機能変更，設定変更などをワイヤレスで行うリモートコントローラであって，該オーディオ・ビジュアル機器からの電波，赤外線または超音波のいずれかをワイヤレスで受ける受信手段と，この受信手段による出力に基づいて音響音の発生あるいは警告点灯の少なくとも一方を行う警報手段とを具備することを特徴としている。
【０００５】
また，特許文献２に係るリモートコントローラおよびその探知装置は，リモートコントローラにより操作可能な電気製品側に設けられる送信機と，該リモート・コントローラに装備された受信機とから構成され，該送信機が，該リモート・コントローラの探知指令を入力するための探知スイッチ，および探知スイッチにより入力される探知指令に応答して探知信号を送信する手段を備え，該受信機が，該送信機から送信される探知信号を受信してその検出信号を発生する手段，および該検出信号に応答して報知信号を外部に向けて放射する手段を備えている，リモートコントローラ探知装置である。
【先行技術文献】
【特許文献】
【０００６】
【特許文献１】特開平６−１６５２６７号公報
【特許文献２】実開平６−５２２９３号公報
【０００７】
しかし，特許文献１に係るリモートコントローラ及びそれを用いたオーディオ・ビジュアル機器は，電波，赤外線または超音波のいずれかを該オーディオ・ビジュアル機器からワイヤレスで発信させる必要があり，また特許文献２に係るリモートコントローラおよびその探知装置は，リモートコントローラにより操作可能な電気製品側に送信機を設ける必要があり，いずれの特許文献に係る発明または考案であっても，リモートコントローラが遠隔操作しようとする電気製品側に発信または送信手段を設けなければならないという課題があった。
【０００８】
また，これらの特許文献に係るリモートコントローラには，電気製品の遠隔操作とリモートコントローラの所在を探知する機能以外の機能は特に付加されておらず，これらの機能以外には特に他の用途がないという課題があった。
【発明の概要】
【発明が解決しようとする課題】
【０００９】
本発明が解決しようとする課題は，紛失したリモートコントローラを探知するにあたって，リモートコントローラが遠隔操作しようとする電気製品側に発信または送信手段を設ける必要がなく，また紛失したリモートコントローラを容易に探知することができ，さらには懐中電灯として活用することができるリモートコントローラおよびリモートコントローラ所在報知器を提供することにある。
【課題を解決するための手段】
【００１０】
請求項１記載の発明は，電気製品を遠隔操作する遠隔操作信号発信手段と，周囲の明るさを検出する光検出手段と，周囲の音を検出する音検出手段と，所在音を発する発音手段と，６面体状の筐体の６面それぞれに発光素子を配設した発光手段とを具え，光検出手段が所定照度超を検出すると共に音検出手段が探知音を検出すると発音手段が所在音を発し，光検出手段が所定照度以下であることを検出すると共に音検出手段が探知音を検出すると発音手段が所在音を発すると共に発光手段の全ての発光素子が発光することを特徴とするリモートコントローラを提供する。
【００１１】
本発明に係るリモートコントローラおよびリモートコントローラ所在報知機において，所定照度とは，発光手段である発光素子の発光を探知者が探知可能な周囲の照度をいい，周囲の照度が該所定照度以下であれば探知者は容易に該発光を探知することができる。なお，発光素子の発光は連続発光であっても点滅発光であってもどちらでもよい。
【００１２】
請求項２記載の発明は，前記遠隔操作信号発信手段と，前記光検出手段と，前記音検出手段と，前記発音手段と，前記発光手段とを具え，光検出手段が所定照度超であることを検出すると共に音検出手段が探知音を検出すると発音手段が所在音を発し，光検出手段が所定照度以下であることを検出すると発光手段の全ての発光素子が発光し, 光検出手段が所定照度以下であることを検出すると共に音検出手段が探知音を検出すると全ての発光素子の発光に加えて発音手段が所在音を発することを特徴とするリモートコントローラを提供する。
【００１３】
請求項３記載の発明は，前記遠隔操作信号発信手段と，前記光検出手段と，前記音検出手段と，前記発音手段と，前記発光手段とを具えると共に，点灯操作手段を設け，該点灯操作手段の操作により発光手段の１の発光素子が発光することを特徴とする請求項１または請求項２記載のリモートコントローラを提供する。
【００１４】
請求項４記載の発明は，前記遠隔操作信号発信手段と，前記光検出手段と，前記音検出手段と，前記発音手段と，前記発光手段とを具えると共に，動作モードを切り替えるモード切替手段を設け，モード切替手段を第１のモードに設定した際は，光検出手段が所定照度超を検出すると共に音検出手段が探知音を検出すると発音手段が所在音を発し，光検出手段が所定照度以下であることを検出すると共に音検出手段が探知音を検出すると発音手段が所在音を発すると共に発光手段の全ての発光素子が発光し，モード切替手段を第２のモードに設定した際は，光検出手段が所定照度超であることを検出すると共に音検出手段が探知音を検出すると発音手段が所在音を発し，光検出手段が所定照度以下であることを検出すると発光手段の全ての発光素子が発光し,光検出手段が所定照度以下であること検出すると共に音検出手段が探知音を検出すると，全ての発光素子の発光に加えて発音手段が所在音を発することを特徴とするリモートコントローラを提供する。
【００１５】
請求項５記載の発明は，前記遠隔操作信号発信手段と，前記光検出手段と，前記音検出手段と，前記発音手段と，前記発光手段と，前記動作モードを切り替えるモード切替手段とを具えると共に，点灯操作手段を設け，該点灯操作手段の操作により発光手段の１の発光素子が発光することを特徴とする請求項４記載のリモートコントローラを提供する。
【００１６】
請求項６記載の発明は，前記光検出手段と，前記音検出手段と，前記発音手段と，前記発光手段とを具え，筐体にリモートコントローラ着脱手段を設け，光検出手段が所定照度超を検出すると共に音検出手段が探知音を検出すると発音手段が所在音を発し，光検出手段が所定照度以下であることを検出すると共に音検出手段が探知音を検出すると発音手段が所在音を発すると共に発光手段の全ての発光素子が発光することを特徴とするリモートコントローラ所在報知機を提供する。
【００１７】
請求項７記載の発明は，前記光検出手段と，前記音検出手段と，前記発音手段と，前記発光手段とを具え，筐体にリモートコントローラ着脱手段を設け，光検出手段が所定照度超であることを検出すると共に音検出手段が探知音を検出すると発音手段が所在音を発し，光検出手段が所定照度以下であることを検出すると発光手段の全ての発光素子が発光し,光検出手段が所定照度以下であること検出すると共に音検出手段が探知音を検出すると，全ての発光素子の発光に加えて発音手段が所在音を発すること特徴とするリモートコントローラ所在報知機を提供する。
【００１８】
請求項８記載の発明は，前記光検出手段と，前記音検出手段と，前記発音手段と，前記発光手段と，前記リモートコントローラ着脱手段とを具えると共に，点灯操作手段を設け，該点灯操作手段の操作により発光手段の１の発光素子が発光することを特徴とする請求項６または請求項７記載のリモートコントローラ所在報知機を提供する。
【００１９】
請求項９記載の発明は，前記光検出手段と，前記音検出手段と，前記発音手段と，前記発光手段と，前記リモートコントローラ着脱手段とを具えると共に，動作モードを切り替えるモード切替手段を設け，モード切替手段を第１のモードに設定した際は，光検出手段が所定照度超を検出すると共に音検出手段が探知音を検出すると発音手段が所在音を発し，光検出手段が所定照度以下であることを検出すると共に音検出手段が探知音を検出すると発音手段が所在音を発すると共に発光手段の全ての発光素子が発光し，モード切替手段を第２のモードに設定した際は，光検出手段が所定照度超であることを検出すると共に音検出手段が探知音を検出すると発音手段が所在音を発し，光検出手段が所定照度以下であることを検出すると発光手段の全ての発光素子が発光し,光検出手段が所定照度以下であること検出すると共に音検出手段が探知音を検出すると，全ての発光素子の発光に加えて発音手段が所在音を発することを特徴とするリモートコントローラ所在報知機を提供する。
【００２０】
請求項１０記載の発明は，前記光検出手段と，前記音検出手段と，前記発音手段と，前記発光手段と，前記リモートコントローラ着脱手段と，前記動作モードを切り替えるモード切替手段とを具えると共に，点灯操作手段を設け，該点灯操作手段の操作により発光手段の１の発光素子が発光することを特徴とする請求項９記載のリモートコントローラ所在報知機を提供する。
【発明の効果】
【００２１】
本発明の請求項１記載のリモートコントローラは，所在が不明となった際には，探知者が手をたたく・声を発するなどの突発的な探知音を発すると音検出手段が該探知音を検出し，ブザーや音声案内による所在音が発音手段より発せられる。また，光検出手段が所定照度超であることを検出しているときは発光素子が発光せず，光検出手段が所定照度以下であることを検出しているときは，音検出手段が探知音を検出すると発音手段により所在音が発せられると共に全ての発光素子が発光する。したがって探知者は昼間等の明るいときは発せられる所在音によって該リモートコントローラを容易に探知することが出来，夜間等の暗いときは該所在音に加えて，全ての発光素子の少なくとも１の発光を手掛かりにして所在不明のリモートコントローラを容易に探知することが出来る効果がある。
【００２２】
通常，リモートコントローラが所在不明となって目視のみで探知できないときは，該リモートコントローラが雑誌や新聞等の隙間に挟まっている場合が多い。該状態のとき本発明のリモートコントローラおよびリモートコントローラ所在報知機は，探知音の検出によって所在音を発音すると共に全ての面の発光素子が発光するため，探知者は該雑誌や新聞の隙間から漏れる少なくとも１の発光素子の発光を短時間で見逃すことなく発見することができる。したがって探知者は該発光を手掛かりにして，また所在音と該発光の両方を手掛かりにしてその相乗的効果により，該リモートコントローラまたはリモートコントローラ所在報知機の所在を速やかに探知することができる効果がある。
【００２３】
また請求項２記載のリモートコントローラは，所在が不明となった際には，探知者が手をたたく・声を発するなどの突発的な探知音を発すると音検出手段が該探知音を検出し，ブザーや音声案内による所在音が発音手段より発せられる。また，光検出手段が所定照度以下であることを検出しているときは常に発光素子が発光する。このため部屋が暗い等の夜間には該発光素子の発光を手掛かりにして該リモートコントローラを速やかに探知することができ，特に探知者が手をたたく・声を発するなどの突発的な探知音を発する必要がないという効果がある。
【００２４】
また請求項３記載のリモートコントローラは，請求項１または請求項２記載のリモートコントローラに点灯操作手段が設けられていて，該点灯操作手段の操作により発光手段である１の面の発光素子が発光するため，請求項１または請求項２記載のリモートコントローラが有する効果のほかに，該リモートコントローラを懐中電灯として使用することができる効果がある。通常懐中電灯は非常用の懐中電灯も含めて，手元から離れた場所にあることが多く，これに比べてリモートコントローラは手元近くにあることが多い。これを考慮すると本発明には，手元近くにあるリモートコントローラを非常時等に迅速に懐中電灯として手にすることができるという，単にリモートコントローラに点灯機能を付加した以上の効果がある。
【００２５】
特に，請求項２記載のリモートコントローラに点灯操作手段が設けられた請求項３記載のリモートコントローラにあっては，光検出手段が所定照度以下を検出している夜間等は，常時発光手段の全ての発光素子が発光しているため，非常時等にリモートコントローラを懐中電灯として使用したいときには，該発光素子の発光を手掛かりにして，より速やかに該リモートコントローラを探知し，懐中電灯として活用できる効果がある。
【００２６】
また請求項４記載のリモートコントローラは，請求項１に係るリモートコントローラと請求項２に係るリモートコントローラを一体化させたものであり，モード切替手段で第１のモードに設定した際には，上記請求項１記載のリモートコントローラとして動作し，第２のモードに設定した際には上記請求項２記載のリモートコントローラとして動作する。したがって夜間において特に探知音を発することが難しい集合住宅などでは第２のモードを選択しておいて，光検出手段が所定照度以下を検出した際に常時発せられている発光素子の発光を手掛かりにして該リモートコントローラを探知することができ，探知者の生活状況によってモードを選択できるという効果がある。
【００２７】
また請求項５記載のリモートコントローラは，請求項４記載のリモートコントローラに点灯操作手段が設けられたものであり，該点灯操作手段の操作により発光手段である１の面の発光素子が発光するため，請求項４記載のリモートコントローラが有する効果のほかに，該リモートコントローラを懐中電灯として使用することができる効果がある。通常懐中電灯は，非常用の懐中電灯も含めて，手元から離れた場所にあることが多く，これに比べてリモートコントローラは手元近くにあることが多い。これを考慮すると本発明には請求項３記載のリモートコントローラと同様に，手元近くにあるリモートコントローラを非常時等に迅速に懐中電灯として手にすることができるという，単にリモートコントローラに点灯機能を付加した以上の効果がある。
【００２８】
また，モード切替手段により第２のモードに設定されているときは，光検出手段が所定照度以下を検出している夜間等は，常時発光手段の全ての発光素子が発光しているため，非常時等にリモートコントローラを懐中電灯として使用したいときには，該発光素子の発光を手掛かりにして，より速やかに該リモートコントローラを探知し懐中電灯として活用できる効果がある。
【００２９】
また，請求項６記載のリモートコントローラ所在報知機は，請求項１記載のリモートコントローラにおいて遠隔操作信号発信手段に代わって，筐体にリモートコントローラ着脱手段が設けられたものであるため，該リモートコントローラ所在報知器自体を，別体である探知手段を持たない一般的なリモートコントローラに例えばストラップで簡単に着脱することができる効果がある。このため上記請求項１記載のリモートコントローラの探知方法と同様な方法でリモートコントローラ所在報知器を探知することによって，リモートコントローラ所在報知器が取付けられた探知手段を持たない一般的なリモートコントローラを容易に探知することが出来る効果がある。
【００３０】
また，請求項７記載のリモートコントローラ所在報知機は，請求項２記載のリモートコントローラにおいて遠隔操作信号発信手段に代わって，筐体にリモートコントローラ着脱手段が設けられたものであるため，該リモートコントローラ所在報知器自体を，別体である探知手段を持たない一般的なリモートコントローラに例えばストラップで簡単に着脱することができる効果がある。このため上記請求項２記載のリモートコントローラの探知方法と同様な方法でリモートコントローラ所在報知機を探知することによって，リモートコントローラ所在報知器が取付けられた探知手段を持たない一般的なリモートコントローラを容易に探知することが出来る効果がある。
【００３１】
また，請求項８記載のリモートコントローラ所在報知機は，請求項６または請求項７記載のリモートコントローラ所在報知機に点灯操作手段が設けられていて，該点灯操作手段の操作により発光手段である１の面の発光素子が発光するため，請求項６または請求項７記載のリモートコントローラ所在報知機が有する効果のほかに，該リモートコントローラ所在報知機を懐中電灯として使用することができる効果がある。通常懐中電灯は非常用の懐中電灯も含めて，手元から離れた場所にあることが多く，これに比べて探知手段を持たない一般的なリモートコントローラは手元近くにあることが多い。従って該探知手段を持たない一般的なリモートコントローラに取付けられるリモートコントローラ所在報知機も手元近くにあることが多く，これを考慮すると本発明には，手元近くにあるリモートコントローラ所在報知機を非常時等に迅速に懐中電灯として手にすることができるという，単にリモートコントローラ所在報知機に点灯機能を付加した以上の効果がある。
【００３２】
特に，請求項７記載のリモートコントローラ所在報知機に点灯操作手段が設けられた請求項８記載のリモートコントローラ所在報知機にあっては，光検出手段が所定照度以下を検出している夜間等は，常時発光手段の全ての発光素子が発光しているため，非常時等にリモートコントローラ所在報知機を懐中電灯として使用したいときには，該発光素子の発光を手掛かりにして，より速やかに該リモートコントローラ所在報知機を探知し，懐中電灯として活用できる効果がある。
【００３３】
また，リモートコントローラ所在報知器は，点灯操作手段の操作により１の面の発光素子が発光するため，非常時には探知手段を持たない一般的なリモートコントローラに取付けられた状態での使用はもちろん，該リモートコントローラから分離して非常用のコンパクトな懐中電灯として使用できる効果がある。
【００３４】
また，請求項９記載のリモートコントローラ所在報知機は，請求項６に係るリモートコントローラ所在報知機と請求項７に係るリモートコントローラ所在報知機を一体化させたものであり，モード切替手段で第１のモードに設定した際には，上記請求項６記載のリモートコントローラ所在報知機として動作し，第２のモードに設定した際には上記請求項７記載のリモートコントローラ所在報知機として動作する。したがって夜間において特に探知音を発することが難しい集合住宅などでは第２のモードを選択しておいて，光検出手段が所定照度以下を検出している夜間等は，常時発せられる光によって該リモートコントローラ所在報知機を探知することができ，探知者の生活状況によってモードを選択できるという効果がある。
【００３５】
また，請求項１０記載のリモートコントローラ所在報知機は，請求項９記載のリモートコントローラ所在報知機に点灯操作手段が設けられたものである。したがって請求項９記載のリモートコントローラ所在報知機が有する効果に加えて，該リモートコントローラ所在報知機を懐中電灯として使用することができる効果がある。通常懐中電灯は非常用の懐中電灯も含めて，手元から離れた場所にあることが多く，これに比べて探知手段を持たない一般的なリモートコントローラは手元近くにあることが多い。従って該リモートコントローラに取付けられたリモートコントローラ所在報知機も手元近くにあることが多く，これを考慮すると本発明には，手元近くにあるリモートコントローラ所在報知機を非常時等に迅速に懐中電灯として手にすることができるという，単にリモートコントローラ所在報知機に点灯機能を付加した以上の効果がある。
【００３６】
また，モード切替手段により第２のモードに設定されているときは，光検出手段が所定照度以下を検出している夜間等は，常時発光手段の全ての発光素子が発光しているため，非常時等にリモートコントローラ所在報知機を懐中電灯として使用したいときには，該発光素子の発光を手掛かりにして，より速やかに該リモートコントローラ所在報知機を探知し，懐中電灯として活用できる効果がある。
【００３７】
また，該リモートコントローラ所在報知器は，点灯操作手段の操作により１の面の発光素子が発光するため，非常時には探知手段を持たない一般的なリモートコントローラに取付けられた状態での使用はもちろん，該リモートコントローラから分離して非常用のコンパクトな懐中電灯として使用できる効果がある。
【図面の簡単な説明】
【００３８】
【図１】本発明に係るリモートコントローラの一実施例の正面図である。
【図２】本発明に係るリモートコントローラの一実施例の右側面図である。
【図３】本発明に係るリモートコントローラの一実施例の底面図である。
【図４】本発明に係るリモートコントローラが書類の間に挟まっていて発光素子が発光すると共に所在音が発音されている状態を示した平面状態図である。
【図５】本発明に係るリモートコントローラの一実施例の回路構成を示したブロック図である。
【図６】本発明に係るリモートコントローラ所在報知機の一実施例の正面図である。
【図７】本発明に係るリモートコントローラ所在報知機の一実施例の右側面図である。
【発明を実施するための形態】
【００３９】
次に本発明に係るリモートコントローラおよびリモートコントローラ所在報知機を実施するための形態について説明する。
まず図１乃至図５に基づき，リモートコントローラの一実施例である実施例１について詳細に説明する。
【実施例１】
【００４０】
図１は，本発明に係るリモートコントローラ１の一実施例の正面図であり，筐体２は全体としては所定の厚みを持った蒲鉾板形状の６面体である。筐体２の表面には６面の全ての面に発光素子３ａ，３ｂ，３ｃ，３ｄ，３ｅ，３ｆが配設され発光手段と成している。またオモテ面２ａには，電気製品の遠隔操作を行うための複数の操作スイッチ４ａが設けられていて，該操作スイッチ４ａを押すと所定の遠隔操作信号が筐体２のヘッド位置にある発信部４ｂより発信される。発光手段としては、発光ダイオードや有機ＥＬを用いるのが好ましい。
【００４１】
操作スイッチ４ａと発信部４ｂにより遠隔操作信号発信手段４と成し，オモテ面２ａには操作スイッチ４ａのほか，紛失したリモートコントローラを探知する際の動作モード（後述）を切り替えるモード切替手段であるモード切替スイッチ５が，図１において右上部分に設けられている。該モード切替スイッチ５はダイヤル式である。また複数の操作スイッチ４ａの上部には点灯操作手段である照明スイッチ６が設けられ，該照明スイッチ６の操作により筐体２の前面２ｂに配設された発光素子３ａが，通常の発光状態より強く明るく発光し，懐中電灯として使用可能に成している。
【００４２】
筐体２の右側面２ｃには，図２に示すように，前面２ｂ側に周囲の音を検出する音検出手段である音センサー７が設けられ，リモートコントローラ１を紛失した際に，探知者が発する手をたたく・声を発するなどの突発的な探知音を検出するように成している。
【００４３】
また該音センサー７に隣接して，周囲の明るさを検出する光検出手段である光センサー８が設けられ，リモートコントローラ１が置かれている周囲の照度を検出し，照度が所定照度以下であるときは，後述の探知モードにより，すべての発光素子３ａ，３ｂ，３ｃ，３ｄ，３ｅ，３ｆが発光するように成っている。ここでいう所定照度とは発光素子３ａ，３ｂ，３ｃ，３ｄ，３ｅ，３ｆの発光を探知者が探知可能な周囲の照度をいい，周囲がこの照度以下であれば探知者は容易に該発光を探知することができる。したがって探知者は該発光を手掛かりにしてリモートコントローラを探知することができる。なお，発光素子３ａ，３ｂ，３ｃ，３ｄ，３ｅ，３ｆの発光は連続発光であっても点滅発光であってもどちらでもよい。
【００４４】
さらに筐体２の右側面２ｃには，底面２ｄ側に所在音を発する発音手段であるスピーカ９が設けられ，音センサー７が探知音を検出すると，例えばブザー音やメロディ音・「ここだよ」等の音声案内による所在音がスピーカ９より発せられ，探知者は該所在音によって，紛失したリモートコントローラ１を探知することができる。
【００４５】
モード切替スイッチ５は，図１においては第１のモードに設定されているが，該モード切替スイッチ５は前述のようにダイヤル式であるので，図１の状態から略９０度右回転させることにより第２のモードに切り替えることができるように成っている。
【００４６】
モード切替スイッチ５が図１のように第１のモードに設定されているときには，光センサー８が所定照度超を検出し音センサー７が探知音を検出すると，スピーカ９から所在音が発せられ，光センサー８が所定照度以下であることを検出すると共に音センサーが探知音を検出すると，スピーカ９から所在音が発せられると共にすべての発光素子３ａ，３ｂ，３ｃ，３ｄ，３ｅ，３ｆが発光する。
【００４７】
またモード切替スイッチ５が第２のモードに設定されているときは，光センサー８が所定照度超であることを検出すると共に音センサー７が探知音を検出するとスピーカ９が所在音を発し，光センサー８が所定照度以下であること検出するとすべての発光素子３ａ，３ｂ，３ｃ，３ｄ，３ｅ，３ｆが発光し，光センサー８が所定照度以下であること検出すると共に音センサー７が探知音を検出するとすべての発光素子３ａ，３ｂ，３ｃ，３ｄ，３ｅ，３ｆの発光に加えてスピーカ９から所在音が発する。
【００４８】
なお，発光素子３ａ，３ｂ，３ｃ，３ｄ，３ｅ，３ｆの発光についてであるが，別途タイマー（図示せず）にて夜間の定時に発光させることもできる。
【００４９】
図４はリモートコントローラ１が書類Ｐ１・Ｐ２・Ｐ３で形成されている書類の山の中にあり，特に書類Ｐ１とＰ２の間に挟まっている状態にあって，探知者の探知音によってすべての発光素子３ａ，３ｂ，３ｃ，３ｄ，３ｅ，３ｆが発光すると共にスピーカ９から所在音が発せられている状態を示している。
【００５０】
このように，リモートコントローラ１が書類Ｐ１とＰ２の間に挟まっている状態にあり，目視によってリモートコントローラ１を確認することができなくても，探知者は発光素子３ａ，３ｂ，３ｃ，３ｄ，３ｅ，３ｆの発光Ｌのうち少なくとも１の発光Ｌと所在音Ｓの両方を手がかりにし，また両方の相乗的効果によって容易に紛失したリモートコントローラ１を探知することができる。
【００５１】
図５はリモートコントローラ１の回路構成を示すブロック図であり，音センサー７，光センサー８，モード切替スイッチ５，照明スイッチ６の信号が制御部１０に入力される。制御部１０には電源１１より電気が供給され，音センサー７，光センサー８，モード切替スイッチ５，照明スイッチ６からの信号を受けて上述のようにスピーカ９からの所在音の発音，発光素子３ａ，３ｂ，３ｃ，３ｄ，３ｅ，３ｆの発光を制御する。
【００５２】
次に図６および図７に基づき，リモートコントローラ所在報知機の一実施例である実施例２について詳細に説明する。
【実施例２】
【００５３】
図６は本発明に係るリモートコントローラ所在報知機２１の一実施例の正面図であり，筐体２２は所定の厚みを持った長板状の６面体である。筐体２２の表面には６面のすべての面に発光素子２３ａ，２３ｂ，２３ｃ，２３ｄ，２３ｅ，２３ｆが配設され発光手段と成している。
【００５４】
筐体２２のオモテ面２２ａには，動作モード（後述）を切り替えるモード切替手段であるモード切替スイッチ２５が，図６において中央部分に設けられている。該モード切替スイッチ２５はダイヤル式である。該モード切替スイッチ２５の上部には点灯操作手段である照明スイッチ２６が設けられ，該照明スイッチ２６の操作により筐体２２の前面２２ｂに配設された発光素子２３ａが，通常の発光状態より強く明るく発光し，懐中電灯として使用可能に成している。
【００５５】
筐体２２のオモテ面２２ａの下部から底面２２ｄにわたっては，ストラップ穴３０が穿設され，該ストラップ穴３０にはストラップ３１が着脱自在に係着され，該ストラップ穴３０と該ストラップ３１にてリモートコントローラ着脱手段３２と成している。したがって，ストラップ３１を探知手段を持たない一般的なリモートコントローラのストラップ穴（図示せず）に着脱させることにより該ストラップ３１を介して，本発明のリモートコントローラ所在報知機２１を該リモートコントローラに着脱することができる。
【００５６】
筐体２２の右側面２２ｃには，図７に示すように，前面２２ｂ側に周囲の音を検出する音検出手段である音センサー２７が設けられ，リモートコントローラ所在報知機２１を紛失した際に，探知者が発する手をたたく・声を発するなどの突発的な探知音を検出するように成している。
【００５７】
また該音センサー２７に隣接して，周囲の明るさを検出する光検出手段である光センサー２８が設けられ，リモートコントローラ所在報知機２１が置かれている周囲の照度を検出し，照度が所定照度以下であるときは，後述の探知モードにより，すべての発光素子２３ａ，２３ｂ，２３ｃ，２３ｄ，２３ｅ，２３ｆが発光するように成っている。ここでいう所定照度とは上述のように発光素子２３ａ，２３ｂ，２３ｃ，２３ｄ，２３ｅ，２３ｆの発光を探知者が探知可能な周囲の照度をいい，周囲がこの照度以下であれば探知者は容易に該発光を探知することができる。したがって探知者は該発光を手掛かりにしてリモートコントローラ所在報知機を探知することができ，結果としてこれに取付けられた探知手段を持たない一般的なリモートコントローラを探知することができる。なお，発光素子２３ａ，２３ｂ，２３ｃ，２３ｄ，２３ｅ，２３ｆの発光は連続発光であっても点滅発光であってもどちらでもよい。
【００５８】
さらに筐体２２の右側面２２ｃには，底面２２ｄ側に所在音を発する発音手段であるスピーカ２９が設けられ，音センサー２７が探知音を検出すると，例えばブザー音やメロディ音・「ここだよ」等の音声案内による所在音がスピーカ２９より発せられ，探知者は該所在音によって，紛失したリモートコントローラ所在報知機２１を探知することができ，結果としてこれに取付けられた探知手段を持たない一般的なリモートコントローラを探知することができる。
【００５９】
モード切替スイッチ２５は，図６においては第２のモードに設定されているが，該モード切替スイッチ２５は前述のようにダイヤル式であるので，図６の状態から略９０度左回転させることにより第１のモードに切り替えることができるように成っている。
【００６０】
モード切替スイッチ２５が図６のように第２のモードに設定されているときには，光センサー２８が所定照度超であることを検出すると共に音センサー２７が探知音を検出するとスピーカ２９が所在音を発し，光センサー２８が所定照度以下であること検出するとすべての発光素子２３ａ，２３ｂ，２３ｃ，２３ｄ，２３ｅ，２３ｆが発光し，光センサー２８が所定照度以下であること検出すると共に音センサー２７が探知音を検出するとすべての発光素子２３ａ，２３ｂ，２３ｃ，２３ｄ，２３ｅ，２３ｆの発光に加えてスピーカ２９から所在音が発する。
【００６１】
またモード切替スイッチ２５が第１のモードに設定されているときは，光センサー２８が所定照度超を検出し音センサー２７が探知音を検出すると，スピーカ２９から所在音が発せられ，光センサー２８が所定照度以下であることを検出すると共に音センサーが探知音を検出すると，スピーカ２９から所在音が発せられると共にすべての発光素子２３ａ，２３ｂ，２３ｃ，２３ｄ，２３ｅ，２３ｆが発光する。
【００６２】
なお，発光素子２３ａ，２３ｂ，２３ｃ，２３ｄ，２３ｅ，２３ｆの発光についてであるが，別途タイマー（図示せず）にて夜間の定時に発光させることもできる。
【００６３】
一方，本実施例２に係るリモートコントローラ所在報知機２１の回路構成を示すブロック図は図５と同様である。したがって，図５において音センサー７，光センサー８，モード切替スイッチ５，照明スイッチ６を，音センサー２７，光センサー２８，モード切替スイッチ２５，照明スイッチ２６と置き換え，発光素子３ａ，３ｂ，３ｃ，３ｄ，３ｅ，３ｆを発光素子２３ａ，２３ｂ，２３ｃ，２３ｄ，２３ｅ，２３ｆに置き換えることで，図５は本実施例２に係るリモートコントローラ所在報知機２１の回路構成を示すブロック図と成る。
【００６４】
また，本発明に係るリモートコントローラ所在報知機２１は，探知手段を持たない一般的なリモートコントローラに取付けて，所在不明の該リモートコントローラを探知することを第一の目的としているが，日常頻繁に使用し所在が不明となると不便なものであればどのようなものに取付けてもよい。例えば携帯電話などにストラップ３１で本発明に係るリモートコントローラ所在報知機２１を取付ければ，所在不明の携帯電話を迅速に探知することができる。
【符号の説明】
【００６５】
１  リモートコントローラ
２  筐体
２ａ  オモテ面
２ｂ  前面
２ｃ  右側面
２ｄ  底面
３ａ，３ｂ，３ｃ，３ｄ，３ｅ，３ｆ  発光素子
４  遠隔操作信号発信手段
４ａ  操作スイッチ
４ｂ  発信部
５  モード切替スイッチ
６  照明スイッチ
７  音センサー
８  光センサー
９  スピーカ
１０  制御部
１１  電源
２１  リモートコントローラ所在報知機
２２  筐体
２２ａ  オモテ面
２２ｂ  前面
２２ｃ  右側面
２２ｄ  底面
２３ａ，２３ｂ，２３ｃ，２３ｄ，２３ｅ，２３ｆ  発光素子
２５  モード切替スイッチ
２６  照明スイッチ
２７  音センサー
２８  光センサー
２９  スピーカ
３０  ストラップ穴
３１  ストラップ
３２  リモートコントローラ着脱手段
Ｌ  発光
Ｐ１，Ｐ２，Ｐ３  書類
Ｓ  所在音
【図１】
2011199690.tif 000003
【図２】
2011199690.tif 000004
【図３】
2011199690.tif 000005
【図４】
2011199690.tif 000006
【図５】
2011199690.tif 000007
【図６】
2011199690.tif 000008
【図７】
2011199690.tif 000009